(57)【特許請求の範囲】
【請求項１】
利用者が携帯する無線通信機能付きカード収納具には、ＩＣカードを挿入できるカード収納用ポケットが複数設けられており、前記カード収納用ポケットの一つにのみＩＣカードとの通信用の接触および非接触デバイスを備え、該接触あるいは非接触デバイスを備えない他の収納用ポケットは混信を防止する目的で金属板で遮蔽されており、前記接触および非接触デバイスを備える収納用ポケット内のＩＣカードが記憶する情報に、利用者が携帯し利用者に関する情報を格納するＵＩＭを装着している無線端末がマイクロ波による通信チヤネルを共有してアクセスし送受信できる通信部をさらに備える、ことを特徴とする無線通信機能付きカード収納具。
【請求項２】
ＵＩＭの利用者に関する情報が、利用者の暗証番号（ＰＩＮ）、加入者番号、商取引データ情報、携帯電話番号である、ことを特徴とする請求項１記載の無線通信機能付きカード収納具。
【請求項３】
前記無線端末は、少なくともキーボタン、表示用ディスプレイ、マイクロ波通信機能を有するものであり、利用者がＰＩＮ入力を行い、当該ＰＩＮがＵＩＭに記録した正しいＰＩＮ入力であることを確認した後、前記無線通信機能付きカード収納具とマイクロ波での通信チャネルを共有することによって前記収納具内のＩＣカードが記憶する主に商取引に利用するデータの内容表示や操作命令を当該無線端末の表示用ディスプレイに表示する、ことを特徴とする請求項１または請求項２記載の無線通信機能付きカード収納具。
【請求項４】
前記無線端末は、利用者がＰＩＮ入力を行い、当該ＰＩＮがＵＩＭに記録した正しいＰＩＮ入力であることを確認した後、キーボタンにより、前記無線通信機能付きカード収納具内のＩＣカードの暗証番号や取引データ情報を操作することを特徴とする請求項１ないし請求項３のいずれか１の請求項記載の無線通信機能付きカード収納具。
【請求項５】
前記無線端末と共有するマイクロ波による通信チャネルが途中で確立しない場合は通信を遮断し、互いの機能が独立して働かないことを特徴とする請求項１ないし請求項３のいずれか１の請求項記載の無線通信機能付きカード収納具。
【請求項６】
前記カード収納具は前記無線端末と共有するマイクロ波による通信チャネルを経由して当該無線端末からカード収納具の電源を切る命令が実行できることを特徴とする請求項１ないし請求項３のいずれか１の請求項記載の無線通信機能付きカード収納具。
【発明の詳細な説明】
【０００１】
【発明の属する技術分野】
本発明は、無線通信機能付きカード収納具に関する。詳しくは、ＩＣカードを使用した電子商取引において、利用者がＩＣカードを取り出すことなく携帯電話機など特定の無線端末を使用して取引できる無線通信機能付きカード収納具に関する。
【０００２】
【従来技術】
近年、ＩＣカードは、大量の情報を記録できることと高度なセキュリティー性を有するため種々の分野で普及している。さらに、２００２年には電子マネーの実用化が予定されており、ますます応用分野が拡大する予定である（２０００年８月２９日「日本経済新聞」）。
ＩＣカードの利用の中でも、マルチアプリケーション（複数サービス）を目的とするＩＣカードには、電子現金やクレジット機能、デビット機能など多彩な電子マネーアプリケーションを搭載することが期待されている。例えば、買い物時に購入金額に応じて、一枚のＩＣカードで電子現金やデビット、クレジットの支払い方法を使い分け、支払った金額に応じたポイントもＩＣカードに記録することが可能である。
【０００３】
このＩＣカードは、キャッシュカード、クレジットカードと同様に、紙幣や硬貨などの現金とともに財布のカード用ポケットに収納されることが多い。
従来、ＩＣカードでの決済処理には、この財布からカードを取り出し、ＩＣカードの取引端末に接続しているカードリーダーにＩＣカードを接続し、ＩＣカードでの取引決済をする必要があった。また、ＩＣカードの取引に際して、必要となる暗証番号は、この取引端末のキーパッドから入力していた。
【０００４】
一方で、「携帯電話機」や「ｉモード」、「モバイル機器」等の無線端末は、単なる音声通話用の道具から、メッセージの送受信やインターネットのウェブブラウザなどの情報端末として用途が広がっている。これにより無線端末によるインターネット取引、すなわち「ｅ消費」も拡大してきている。
また、ブルートゥース（Ｂｌｕｅｔｏｏｔｈ）やＩｒＤＡなどにより電話会社の無線回線を利用しないで、近距離機器間の接続用の無線通信機能を搭載した携帯電話機が普及しつつある。これにより携帯電話機等の無線端末により自動販売機から物品の購入や料金の支払いをすることも可能となるが、取引や決済などをするには、財布からＩＣカードを取り出し別の決済用端末装置にＩＣカードを挿入する手数が必要となる。
【０００５】
このようなＩＣカードの利用用途の拡大に鑑みて、その利便性を一層高めるべく、本願出願人は、先に、現金を収納する財布にＩＣカード用収納ポケットを設け、ＩＣカードとの通信機能と、ＩＣカード取引を可能とするキー操作部と表示部を付加した「ＩＣカードの記録内容を表示する機能を有するカード入れ」（特開平１０−１４９４１４号）を提案している。
しかし、当該出願にかかる「カード入れ」は、財布にキー操作部や表示部を設けるため小型化が困難なこと、カードの内容を確認するためには財布を取り出し、キー操作をして表示させる必要があること、等の問題があった。
【０００６】
【発明が解決しようとする課題】
そこで、本発明はカード収納具から電子媒体（ＩＣカードなど）を取り出したりカード収納具自体を取り出すことなく、誰もが持ち歩くことの多くなった携帯電話機等の無線端末を介して、無線機能を有するカード収納具内の電子媒体に格納した電子バリューを操作する決済取引を可能としようとするものである。
【０００７】
【課題を解決するための手段】
上記課題を解決するための本発明の要旨は、利用者が携帯する無線通信機能付きカード収納具には、ＩＣカードを挿入できるカード収納用ポケットが複数設けられており、前記カード収納用ポケットの一つにのみＩＣカードとの通信用の接触および非接触デバイスを備え、該接触あるいは非接触デバイスを備えない他の収納用ポケットは混信を防止する目的で金属板で遮蔽されており、前記接触および非接触デバイスを備える収納用ポケット内のＩＣカードが記憶する情報に、利用者が携帯し利用者に関する情報を格納するＵＩＭを装着している無線端末がマイクロ波による通信チヤネルを共有してアクセスし送受信できる通信部をさらに備える、ことを特徴とする無線通信機能付きカード収納具、にある。かかるカード収納具であるため、ＩＣカードやカード収納具を取り出す手数を省略して取引することができる。
【００１０】
【発明の実施の形態】
以下、本発明の無線通信機能付きカード収納具およびそれを用いた取引決済方法について、図面を参照して説明する。図１は、取引決済方法を説明する図である。無線通信機能付きカード収納具（以下、場合により「カード収納具」と省略して記載する。）１０は例えば二つに折って利用者のポケットに入れることができる大きさである。カード収納具１０内には複数のＩＣカード２０が収納できる。複数のＩＣカードの内、１のＩＣカード２０１はカード収納具１０内のワイヤレス通信デバイス１１０、アンテナ１１１を介して外部の無線端末３０と交信を行っている。
【００１１】
カード収納具１０にはさらに接触型ＩＣカードと接続するための端子板１２０と非接触型ＩＣカード用読取アンテナ（非接触デバイス）１１２を備えている。端子板１２０はカード収納用ポケット内のＩＣカード接続端子と接触するようカード収納用ポケット１７１の内面に設けられているものである。
読取アンテナ１１２は非接触ＩＣカードのアンテナコイルに位置する部分であれば、ポケットの内面でも外面でもいずれの位置でもよい。ただし、他の非接触ＩＣカードとの混信を防止して、２０１のＩＣカードとのみ交信するよう金属板で遮蔽するような電波の遮断処置が必要となる。
この場合、ＩＣカード２０１は、電子マネーやプリペイドカードであって、商品購入の決済はＩＣカード２０１に記録されている電子現金やプリペイド額の減額によって行われる。
【００１２】
無線端末３０は移動体通信端末であり、例えば「携帯電話機」や「ｉモード」あるいは「モバイル機器」がこれに該当する。無線端末３０には使用者を特定するＵＩＭ（ユーザーズ  アイデンティティ  モジュール）４６が装着できるようにされている。ＵＩＭには携帯電話利用者に関する情報がメモリに格納されている。電話利用者に関する情報とは、例えば、使用者の暗証番号（ＰＩＮ）、加入者番号（ＩＭＳＩ）、商取引データ情報、携帯電話番号等である。
利用者が、例えば使用者の暗証番号をキーボタン３９から入力すると、ＵＩＭ内で暗証番号が検証される。
これにより無線端末３０を操作する者が特定でき、異なる暗証番号（ＰＩＮ）が入力されれば無線端末の使用を排除できる。
【００１３】
さらに図１において、無線端末３０は、無線通信により自動販売機５０と交信し商品５１の購入を行っている。利用者が無線端末３０のキーボタンを操作することにより、ＩＣカードが特定され、無線端末３０を使用する者が認証されると商品の購入が可能となる。自動販売機５０にも非接触交信機能５４が備えられている。料金の支払いがＩＣカードによりなされるか、またはポイント記録だけの場合は現金投入口５３より料金が入れられ受領されると、商品５１が自動販売機の商品排出口５２に排出される。
すなわち、この場合、ＩＣカード２０１と自動販売機５０との間で取引がされているが無線端末３０がその中継的役割を果たしていることになる。
なお、無線端末はこのような中継的役割のほかに後述するように、無線端末自体を取引媒体として使用することができる。
【００１４】
カード収納具１０と無線端末３０、あるいは無線端末３０と自動販売機５０との間の通信はブルートゥース（Ｂｌｕｅ  ｔｏｏｔｈ）で交信することができる。ブルートゥースは、１０ｍ以内の近距離間における無線ＬＡＮ通信方式として、スウェーデンのエリクソン社を中心に開発されてきたもので、現在ではブルートゥースＳＩＧとして世界の多くの企業が参画している。
ブルートゥースは、「小電力と小型化」を目的とし、利用帯域は２．４０ＧＨｚ〜２．４８５３ＧＨｚであるが、わが国においても同じ帯域が使用可能となっている。ブルートゥース対応の送受信モジュールやアンテナ、あるいはシングルチップマイコンも各社の開発が進められ実用化が可能である。
【００１５】
なお、ブルートゥース以外の通信方式として、特定小電力無線としてわが国で認められる２．４５ＧＨｚや５．８ＧＨｚ帯域の通信や移動体ネットワーク通信も可能である。さらに、無線端末３０と自動販売機５０との間の通信は、直線性を維持できるかぎり赤外線を使うＩｒＤＡで交信することもできる。
無線端末３０とカード収納具１０との間の交信もブルートゥースまたは上記のマイクロ波通信となるが、通信帯域が同一であっても変調方式（周波数ホッピング型スペクトラム拡散方式等）を変えることで混信を防止できる。
【００１６】
無線端末３０は、自動販売機５０等の外部機器との中継的役割をするほか、前記のように無線端末自体を取引媒体として使用できる。すなわち、その場合には無線端末３０をインターネットに接続して、インターネット上のホームページにおける取引を無線端末を介して行うことになる。無線端末３０の表示用ディスプレイ３７にホームページが表示され、ホームページ上において購入商品が決定すると、ＩＣカードを指定して支払い方法や商品の受け渡し方法を決定して、外部機器５０による場合と同様に取引決済がなされる。
【００１７】
図２は、カード収納具に保持されるＩＣカードを示す図であり、図２（Ａ）は接触型ＩＣカード、図２（Ｂ）は非接触型ＩＣカードを示している。
図３は、本発明の無線通信機能付きカード収納具の例を示す図である。
カード収納具１０内に収容されるＩＣカード２０は、電子現金やポイントカードなどの電子バリューを有するＩＣカードであり、前記のように接触型であっても非接触型であってもいずれでもよい。ＩＣカードの寸法は通常、横８６ｍｍ×縦５４ｍｍであり、厚みは１ｍｍ以内である。非接触形ＩＣカードも同形であるが、カード表面に接続端子を持たない。
【００１８】
ＩＣカード２０が接触型である場合（図２（Ａ））は、ＩＣカードには、ＩＣモジュール等の電子部品が実装されたプリント基板と、これの表面を覆う合成樹脂製のカード基材２８とを備えており、カード基材２８の表面には、ＩＣモジュールの接続端子２２０が設けられている。接続端子２２０は、８個の接点２２１〜２２８を有しており、これらの接点の内訳は、電圧供給用（２個）、ＧＮＤ（１個）、データ交信用（１個）、クロック信号供給用（１個）、リセット信号供給用（１個）、予備（２個）となっている。
【００１９】
ＩＣカード２０が非接触型である場合（図２（Ｂ））は、ＩＣカードは制御機能とメモリを備えるＩＣチップ２１とＩＣチップに接続するアンテナコイル２２を有する。アンテナコイル２２はカード基材２８内に埋設されていて、カード表面には電子部品が現われないようにされている。
アンテナコイル２２は捲線やプリント配線により設けるが、図示の例に限らずカードの縁辺部周囲を周回するように形成する場合も多い。
【００２０】
カード収納具１０は、特に形状が限定される訳ではないが、ポケット等に入れて携帯するため薄型で軽量のものが好ましい。カード収納具１０には複数のＩＣカード２０のほか、紙幣や硬貨のような現金を収容する部分（不図示）を有し財布と同様に使えることが好ましい。
さらに、カード収納具１０は、ワイヤレス通信デバイスを備え、外部にある無線端末３０との交信を行う。ワイヤレス通信デバイスには、例えば小型のブルートゥース対応送受信モジュール等を使用することができる。
【００２１】
カード収納具１０は、皮、合成皮革、布、軟質構成樹脂等からなり、図３に示すように、適度の柔軟性を有する矩形の外皮１８と、この外皮１８の内面のほぼ左半分を覆うように縫着された適度の剛性を有する矩形状の第１のカード収納部１５と、外皮１８の内面のほぼ右半分を覆うように縫着された適度の剛性を有する矩形状の第２のカード収納部１６とを備えている。
このカード収納具１０を中央部で二つ折りして第１および第２のカード収納部１５，１６を互いに重ね合わせると、上着やズボンのポケットに入る大きさになる。
【００２２】
第１のカード収納部１５にはＩＣカード２０を収納するためのカード収納用ポケット１７１が設けられており、カード収納用ポケット１７１にはＩＣカード２０とほぼ同じ大きさを有し、該カード収納用ポケット１７１内に収納されたＩＣカード２０の接続端子２２０に接する接続端子（ピン等）を有する端子板１２０を内蔵している。端子板とＩＣカードの接続端子は良好の接触が維持されるよう板バネ等による押圧機構が設けられる。端子板は後述するＣＰＵ１１に接続されている。
【００２３】
第２のカード収納部１６は内側の側辺が開口した袋状のもので、内部は定期券、レシート、銀行の端末装置等で出力されるジャーナル等のシート状物を収納するシート状物収納部（不図示）となっており、上下両辺および外側の側辺の三辺に沿って外皮１８に縫着され、外皮１８との間に紙幣、硬貨等を収納するための現金収納部を形成している。第２のカード収納部１６には、縦方向に一定の間隔をおいて、磁気カードや定期券等の他のカードを収納するためのカード収納用ポケット１７２〜１７５が設けられている。カード収納具のこれらの構成、形状は例示のためであり、これに限定されるものではない。
【００２４】
図４は、カード収納具およびＩＣカードの電気的構成を示すブロック図である。図４に示すように、ＩＣカード２０は、ＣＰＵ２１１、プログラム格納用のＲＯＭ２１２、ＥＥＰＲＯＭ、ＦＲＡＭ等の電気的にデータが書換え可能なメモリからなるデータメモリ２１３、ワーク用のＲＡＭ２１４を内蔵している。
接触型ＩＣカードの場合は、これらのデータが接続端子２２０→端子板１２０を介してカード収納具１０に供給される。
非接触ＩＣカードの場合は、収納具１０の非接触デバイスである読取アンテナ１１２によりデータが読み取られ、カード収納具１０に供給される。
通信用の接触あるいは非接触デバイスとは、接続端子２２０→端子板１２０の接触デバイスと読取アンテナ１１２の非接触デバイスを意味する。
【００２５】
第１のカード収納部は、内部にＣＰＵ１１、プログラム格納用のＲＯＭ１２、ワーク用のＲＡＭ１３、ワイヤレス通信デバイス１１０、各部品に電力を供給する電池１４等を有している。電池１４としてはリチウム電池等が使用できる。
端子板１２０、ＣＰＵ１１、ＲＯＭ１２に格納されたプログラム等によってＩＣカード２０１から情報を読み取る読取手段が構成され、ＣＰＵ１１、ＲＯＭ１２に格納されたプログラム等によって、ＩＣカード２０から読み取った情報をワイヤレス通信デバイス１１０、アンテナ１１１を介して無線端末３０に送信する機能が構成されている。ＩＣカードにより買い物をしようとする場合は、当該買い物に必要なＩＣカードを収納用ポケット１７１に入れて取引を行う。従って、他のポケットには直接その取引に使用しないＩＣカードが収納されている。
上記実施形態では、ＩＣカード２０はＣＰＵ２１１付きのものとしているが、これに限られるものではなく、ＣＰＵを有しないメモリー機能のみのもの（カード収納具１０との接続をコネクタピンの接点によって行う）であってもよいし、また、ＲＯＭ、ＲＡＭの有無についても、用途に応じて使い分ければよい。
【００２６】
図５は、無線端末の回路構成の例を示すブロック図である。
無線端末３０は、前記カード収納具１０のＩＣカード２０１に記憶する、主に電子商取引に使用するデータ情報に無線を経由して読み書きして演算ができ、キーボタン３９と表示用ディスプレイ３７および前記のマイクロ波通信回路部３６を有し、処理データを無線端末の表示用ディスプレイ３７に表示する機能を有することを要件とする。
【００２７】
無線端末３０は、通常の携帯電話機の機能を有するので、その回路構成は、図５のように、主制御部３１を中心に、他の回路部がこれに接続する構成となっている。この主制御部３１は、接続している各回路部に制御信号を送り、それらを制御する回路部である。アンテナ３２は、受信電波を受けて対応する電気信号を高周波回路部３３に送り、また高周波回路部３３からの電気信号を電波に変換して送出する回路部である。高周波回路部３３は、主制御部３１により指定されたチャンネルに対応する周波数の電波の送受信処理を行う回路部である。
【００２８】
具体的には、指定されたチャンネルで受信した信号のうち呼出信号やチャンネル情報などの非音声信号は主制御部３１へ、音声信号は音声制御部３４へと振り分けて送り、また主制御部３１から出力される着信応答信号、ダイヤルデータなどの非音声信号や、音声制御部３４から出力される音声信号を対応する高周波電気信号に変換してアンテナ３２に出力する回路部である。
音声制御部３４は、主制御部３１の制御により、高周波回路部３３からの音声電気信号を音声入出力部３５へ送出し、また音声入出力部３５からの音声電気信号を高周波回路部３３へ送出する回路部である。
【００２９】
スイッチ１は、アンテナ３２を電話用電波とマイクロ波通信用電波とを切り換える場合のスイッチである。両者を同時に使用する場合はないからである。
スイッチ１がマイクロ波通信回路部３６に接続している場合は、主制御部３１からの呼出信号をアンテナ３２から発信し、カード収納具１０や外部機器５０からの応答電波を受信する機能を行う。カード収納具１０や外部機器から取引に関する応答電波を受信した場合は、マイクロ通信回路部３６において演算処理された信号を主制御部３１に送信し、表示制御部３８により制御して表示用ディスプレイ３７にデータ表示がなされる。
また、主制御部３１には、インターフェイス４７を介してＵＩＭ４６が接続していて、利用者が暗証番号を入力した際にその検証がされる。
【００３０】
電話信号の場合、音声入出力部３５は、主制御部３１の制御の下に、音声制御部３４からの音声電気信号をスピーカ４２へ送り、またマイク４１からの音声電気信号を音声制御部３４へ送出する回路である。スピーカ４２は上記音声入出力部３５よりの音声電気信号を音声に変換する回路部であり、マイク４１は音声を音声電気信号に変換して音声入出力部３５に送出する回路部である。
【００３１】
なお、スイッチ制御部４０は、通話キースイッチ２、音声停止キースイッチ３、終話キースイッチ４あるいはダイヤルキーボタン３９のキーボタンが操作されたときに、対応するスイッチ入力信号を主制御部３１に送出する回路部である。
ＬＥＤ４５は、着信の表示等を行い、リンガー４４により着信報知音等が発せられる。表示用ディスプレイ３７は、一般に液晶表示装置が使用され、表示制御部３８により駆動制御される。携帯電話の通話時におけるメッセージ表示等のほか、取引処理データの表示を行う。
【００３２】
無線端末３０により取引をする場合は、無線端末３０の、キーボタン３９により、前記カード収納具１０のＩＣカードの暗証番号や取引データ情報を操作する。これは前記のように、無線端末のＵＩＭによりＩＣカードが特定されても良いし、無線端末からもＩＣカードが特定できることを意味する。
携帯電話は、前記カード収納具のＩＣカード２０に格納した情報を利用して、逆にアクセスできる携帯電話を特定することもできる。
カード収納具１０は、無線端末３０との通信において、誤動作を防ぐため両者のマイクロ波が弱い状態では通信を遮断し互いの機能が独立して働かないようにするのが好ましい。すなわち、マイクロ波による通信チャネルが確立しない場合は通信を遮断することが好ましい。
【００３３】
次に、本発明の実施形態の動作手順について説明する。無線端末が携帯電話である場合を例として説明している。
＜カード収納具と携帯電話の接続手順＞
利用者は、ＩＣカード２０１を、無線通信機能付きカード収納具１０のポケット１７１に収納し、カード収納具１０の電源を「ＯＮ」にする。
続いて、携帯電話（無線端末）３０の電源を「ＯＮ」にする。これにより、携帯電話３０は内蔵するＵＩＭ４６の電源を「ＯＮ」にする。携帯電話３０は、ＵＩＭ４６へのアクセスに必要なＰＩＮ（暗証番号）を利用者に要求する入力画面を表示ディスプレイ３７に表示する。
ＵＩＭ４６は利用者の正しいＰＩＮ入力により利用者が正しいことを認証する。この認証によって、携帯電話３０は、ＵＩＭ４６内の通信定義情報にアクセス可能となり、通信可能な状態となる。
次に、利用者は、携帯電話３０のワイヤレス通信機能を「ＯＮ」にする。
ワイヤレス接続可能な機器であれば、携帯電話の表示用ディスプレイ３７に接続可能な機器が表示される。
利用者は、携帯電話の表示用ディスプレイから無線通信機能付きカード収納具１０を接続機器として選択する。携帯電話３０とカード収納具１０とのマイクロ波の通信チャネルが成立すると、携帯電話３０の表示ディスプレイ３７の機器接続の確立が表示される。
【００３４】
＜携帯電話で自動販売機に接続して買い物をする手順＞
利用者は携帯電話３０を自動販売機５０に接続する。
携帯電話３０の表示用ディスプレイ３７の自動販売機５０の商品を選択して、購入ボタンを操作する。
【００３５】
＜ＩＣカード（カード収納具）を支払いに指定する手順＞
利用者は携帯電話３０の購入画面にてＩＣカード２０１の電子現金を支払い方法に指定する。携帯電話３０の表示用ディスプレイ３７に支払う電子現金の種別が表示され、利用者はＩＣカード２０１を指定する。
携帯電話３０のディスプレイ３７にＩＣカード２０１の検索画面が表示され、利用者は検索ボタンを実行する。
無線接続しているカード収納具１０が携帯電話３０のディスプレイ３７に表示され、利用者は利用可能なＩＣカード２０１の検索を実行する。
この検索実行のため携帯電話３０からワイヤレス通信デバイス３６を介して無線通信機能付きカード収納具１０内のＩＣカード用接続端子１２０またはアンテナ１１２の電源を「ＯＮ」にする命令を送信する。
カード収納具１０は、接続端子１２０またはアンテナ１１１を介してＩＣカード２０１の初期応答を受信し、利用可能なＩＣカードであることを携帯電話３０に通知する。
【００３６】
＜携帯電話がＵＩＭに格納した決済アプリケーションを指定する手順＞
次に、携帯電話３０の表示用ディスプレイ３７に支払いのタイプが表示される。利用者は電子現金Ａを選択する。この選択により携帯電話３０は、携帯電話内のＵＩＭ４６に格納した電子現金Ａの取引プログラムを起動する。
【００３７】
＜決済アプリケーションがＩＣカード（カード収納具）と支払い先（インターネト）とをリンクする手順＞
携帯電話３０はＵＩＭ４６に格納した電子現金Ａの決済プログラムに自動販売機５０とカード収納具１０内のＩＣカード２０１の接続情報を通知する。
この通知により、ＩＣカード２０１の電子現金Ａと販売店は、決済プログラムを介して通信可能な状態となる。
【００３８】
＜決済アプリケーションがＩＣカード（カード収納具）と支払い先（インターネト）の支払いを実施する手順＞
決済プログラムは、カード収納具１０内のＩＣカード２０１の電子現金アプリケーションを実行する。決済プログラムは、携帯電話３０の表示用ディスプレイ３７にＩＣカード２０１用ＰＩＮの入力画面の表示を命令する。利用者が入力したＰＩＮデータは携帯電話３０から決済プログラムに送信される。
決済プログラムはカード収納具１０内のＩＣカード２０１用のＰＩＮ命令を内部で生成し、携帯電話３０からカード収納具１０への無線送信データ中に、ＰＩＮ命令コマンドを作成し、携帯電話３０に送信する。
携帯電話３０は、このデータをカード収納具１０に送信し、カード収納具はこの送信データからＩＣカード２０１へのＰＩＮ命令を取り出して、ＩＣカード２０１へ送信し、電子決済アプリケーションの利用者認証を実行する。
ＩＣカード２０１のＰＩＮ命令の正常終了は決済アプリケーションにカード収納具１０から携帯電話３０を介して通知される。
以下、決済プログラムは自動販売機５０とＩＣカード２０１の電子現金との間の決済プロトコルに必要な命令群を作成し、携帯電話３０を介して自動販売機５０とカード収納具１０のＩＣカード２０１との取引を実行する。
【００３９】
＜取引終了を実行する手順＞
決済プログラムは電子現金の取引が終了すると取引が終了したことを携帯電話３０に送信する。
携帯電話３０はこの通知を受信するとＵＩＭ４６の決済プログラムを終了する。携帯電話３０は表示ディスプレイ３７に取引終了を表示する。
また、携帯電話３０からカード収納具１０のＩＣカード２０１の電源を「ＯＦＦ」にする命令が送信され、カード収納具１０はＩＣカード２０１の電源を「ＯＦＦ」にする。
さらに、カード収納具１０の電源を「ＯＦＦ」にする命令を携帯電話３０からカード収納具１０に送信することもできる。
【００４０】
【発明の効果】
上述のように、本発明の無線通信機能付きカード収納具は、無線端末と非接触交信機能を有するので上述のような取引決済に好適に使用することができる。また、ＩＣカードを現金等と一緒にして携帯できる利点もある。
【図面の簡単な説明】
【図１】 本発明の無線通信機能付きカード収納具を用いた取引決済方法を説明する図である。
【図２】 カード収納具に保持されるＩＣカードを示す図である。
【図３】 本発明の無線通信機能付きカード収納具の例を示す図である。
【図４】 カード収納具およびＩＣカードの電気的構成を示すブロック図である。
【図５】 無線端末の回路構成の例を示すブロック図である。
【符号の説明】
１０ 無線通信機能付きカード収納具
１１ ＣＰＵ
１２ プログラム格納用ＲＯＭ １１０ ワイヤレス通信デバイス
１３ ワーク用ＲＡＭ １１１ アンテナ
１４ 電池 １１２ 読取アンテナ
１５ 第１のカード収納部 １２０ 端子板
１６ 第２のカード収納部 １２１〜１２８ 接続端子
１８ 外皮
１７１〜１７５ カード収納用ポケット
２０，２０１ ＩＣカード
２１ ＩＣチップ
２２ アンテナコイル
２１１ ＣＰＵ
２１２ プログラム格納用のＲＯＭ
２１３ データメモリ
２１４ ワーク用のＲＡＭ
２８ カード基材
２２０ 接続端子 ２２１〜２２８ 接点
３０ 無線端末または携帯電話
３１ 主制御部
３２ アンテナ
３３ 高周波回路部
３４ 音声制御部
３５ 音声入出力部
３６ マイクロ波通信回路部
３７ 表示用ディスプレイ
３８ 表示制御部
３９ キーボタン
４０ スイッチ制御部
４１ マイク
４２ スピーカ
４３ 駆動回路
４４ リンガー
４５ ＬＥＤ
４６ ＵＩＭ
４７ インターフェイス
５０ 外部機器（自動販売機）
５１ 商品
５２ 商品排出口
５３ 現金投入口
５４ 非接触交信機能
【図１】
0004697911.tif 000002
【図２】
0004697911.tif 000003
【図３】
0004697911.tif 000004
【図４】
0004697911.tif 000005
【図５】
0004697911.tif 000006